【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、前記第２の部分は、
第１のフィールド、ここにおいて、前記第１のフィールドは、周波数領域疑似ランダムバイナリシーケンス（ＰＲＢＳ）データの第１のセットを含む、と、
第２のフィールド、ここにおいて、前記第２のフィールドは、時間領域シーケンスを含む、と、
第３のフィールド、ここにおいて、前記第３のフィールドは、周波数領域パイロットのシーケンスを含む、と
を含む、と、
送信のための前記フレームを出力することを行うように構成されたインターフェースと
を備える、装置。
【請求項２】
前記周波数領域ＰＲＢＳデータの第１のセットは、特定の原始多項式のための特定のシードに基づく、
請求項１に記載の装置。
【請求項３】
前記第２の部分は、時間領域シーケンスを含む、
請求項１に記載の装置。
【請求項４】
前記時間領域シーケンスは、ゴーレイシーケンスを含む、
請求項３に記載の装置。
【請求項５】
前記第２の部分は、周波数領域パイロットのシーケンスを含む、
請求項１に記載の装置。
【請求項６】
前記周波数領域パイロットのシーケンスは、特定のしきい値でまたはそれ未満で、ピーク対平均電力比（ＰＡＰＲ）を有する、
請求項５に記載の装置。
【請求項７】
前記第１のフィールドは、前記第２のデバイスで自動利得制御（ＡＧＣ）を容易にするように構成され、
前記第２のフィールドは、前記第２のデバイスで前記フレームのサンプルを入力するためのタイミング制御を容易にするように構成され、
前記第３のフィールドは、前記第２のデバイスで受信した前記フレームに関連付けられたチャネル推定を容易にするように構成される、
請求項１に記載の装置。
【請求項８】
前記フレームは、前記第１および第２の部分を備える第１のサブフレームを含み、前記フレームは、第３の部分および第４の部分を備える第２のサブフレームを含み、前記第３の部分は、前記第１のプロトコルに従って動作する前記第１のデバイスによって復号可能であり、前記第４の部分は、前記第１のデバイスによって復号不能であり、前記第３および第４の部分は、前記第２のプロトコルに従って動作する前記第２のデバイスによって復号可能である、
請求項１に記載の装置。
【請求項９】
前記インターフェースは、実質的に時間アラインされた手法での送信のための前記第２の部分および前記第４の部分を出力するように構成される、
請求項８に記載の装置。
【請求項１０】
前記インターフェースは、時間オフセット手法での送信のための前記第１の部分および第３の部分を出力するように構成される、
請求項８に記載の装置。
【請求項１１】
前記第４の部分は、周波数領域ＰＲＢＳデータの第２のセットを含み、前記インターフェースは、実質的に時間アラインされた手法での送信のための前記周波数領域ＰＲＢＳデータの第１および第２のセットを出力するように構成される、
請求項８に記載の装置。
【請求項１２】
前記周波数領域ＰＲＢＳデータの第１のセットは、特定の原始多項式のための第１のシードに基づき、
前記周波数領域ＰＲＢＳデータの第２のセットは、前記特定の原始多項式のための第２のシードに基づく、
請求項１１に記載の装置。
【請求項１３】
前記第２の部分は、第１の時間領域シーケンスを含み、
前記第４の部分は、第２の時間領域シーケンスを含み、前記第１の時間領域シーケンスは、前記第２の時間領域シーケンスに直交であり、  前記インターフェースは、実質的に時間アラインされた手法での送信のための前記第１および第２の時間領域シーケンスを出力するように構成される、
請求項８に記載の装置。
【請求項１４】
前記第２の部分は、周波数領域パイロットの第１のシーケンスを含み、
前記第４の部分は、周波数領域パイロットの第２のシーケンスを含み、  前記インターフェースは、実質的に時間アラインされた手法での送信のための前記周波数領域パイロットの第１および第２のシーケンスを出力するように構成される、
請求項８に記載の装置。
【請求項１５】
前記第１のサブフレームは、前記第１の部分と前記第２の部分との間の時間に位置している第１のパッドフィールドを含み、前記第２のサブフレームは、前記第３の部分と前記第４の部分との間の時間に位置している第２のパッドフィールドを含み、前記第１のパッドフィールドの長さは、前記第２のパッドフィールドの長さより大きい、
請求項８に記載の装置。
【請求項１６】
前記第１のパッドフィールドは、第１のゴーレイシーケンスを含み、前記第２のパッドフィールドは、第２のゴーレイシーケンスを含むように前記第２のパッドフィールドを含む、
請求項１５に記載の装置。
【請求項１７】
前記フレームは、前記第１および第２の部分を備える第１のサブフレームを含み、
第２のサブフレームは、第３の部分および第４の部分を備え、
第３のサブフレームは、第５の部分および第６の部分を備える、
請求項１に記載の装置。
【請求項１８】
前記第２の部分は、第１の時間領域シーケンスを含み、
第４の部分は、前記第１の時間領域シーケンスに直交する第２の時間領域シーケンスを含み、
前記第６の部分は、第３の時間領域シーケンスを含む、
請求項１７に記載の装置。
【請求項１９】
前記インターフェースは、第１のＯＦＤＭシンボル間隔の間に時間アラインされた手法での送信のための前記第１および第２の時間領域シーケンスを出力するように構成され、前記インターフェースは、第２のＯＦＤＭシンボル間隔の間の送信のための前記第３の時間領域シーケンスを出力するように構成される、
請求項１８に記載の装置。
【請求項２０】
前記インターフェースは、前記第２のＯＦＤＭシンボル間隔の間の送信ために前記第１および第２のサブフレームから出力を生み出さず、
前記インターフェースは、前記第１のＯＦＤＭシンボル間隔の間の送信のために前記第３のサブフレームから出力を生み出さない、
請求項１９に記載の装置。
【請求項２１】
前記フレームは、前記第１および第２の部分を備える第１のサブフレームを含み、前記フレームは、
第３の部分および第４の部分を備える第２のサブフレームと
第５の部分および第６の部分を備える第３のサブフレームと、
第７の部分および第８の部分を備える第４のサブフレームと
をさらに含む、請求項１に記載の装置。
【請求項２２】
前記第２の部分は、第１の時間領域シーケンスを含み、
前記第４の部分は、前記第１の時間領域シーケンスに直交する第２の時間領域シーケンスを含み、前記インターフェースは、第１のＯＦＤＭシンボル間隔の間に時間アラインされた手法での送信のための前記第１の時間領域シーケンスおよび第２の時間領域シーケンスを出力するように構成され、
前記第６の部分は、第３の時間領域シーケンスを含み、
前記第８の部分は、前記第３の時間領域シーケンスに直交する第４の時間領域シーケンスを含み、前記インターフェースは、第２のＯＦＤＭシンボル間隔の間に時間アラインされた手法での送信のための前記第３の時間領域シーケンスおよび前記第４の時間領域シーケンスを出力するように構成される、
請求項２１に記載の装置。
【請求項２３】
前記インターフェースは、前記第１のシンボル間隔の間の送信ために前記第３および第４のサブフレームから出力を生み出さず、
前記インターフェースは、前記第２のシンボル間隔の間の送信ために前記第１および第２のサブフレームから出力を生み出さない、
請求項２２に記載の装置。
【請求項２４】
前記インターフェースは、第１の周波数チャネルを介する送信のための前記第１の部分を出力することを行うように構成され、前記フレームは、第３の部分を含み、前記インターフェースは、前記第１の周波数チャネルから周波数において離れた間隔に置かれた第２の周波数チャネルを介する送信のための前記第３の部分を出力することを行うように構成され、前記第３の部分は、前記第１のデバイスおよび前記第２のデバイスによって復号可能であり、前記インターフェースは、前記第１の周波数チャネルの少なくとも一部および前記第２の周波数チャネルの少なくとも一部を含むボンデッド周波数チャネルを介する送信のための前記第２の部分を出力することを行うように構成される、
請求項１に記載の装置。
【請求項２５】
前記第２の部分は、時間領域シーケンスを含む、
請求項２４に記載の装置。
【請求項２６】
前記第２の部分は、周波数領域パイロットのシーケンスを含む、
請求項２４に記載の装置。
【請求項２７】
ワイヤレスノードであって、
少なくとも１つの受信アンテナと、
第１の部分および第２の部分を備えるフレームを生成することを行うように構成される処理システム、前記第１の部分は、第１のプロトコルに従って動作する第１のデバイスによって復号可能であり、前記第２の部分は、前記第１のデバイスによって復号不能であり、前記第１の部分および第２の部分は、第２のプロトコルに従って動作する第２のデバイスによって復号可能であり、前記第２の部分は、
第１のフィールド、ここにおいて、前記第１のフィールドは、周波数領域疑似ランダムバイナリシーケンス（ＰＲＢＳ）データの第１のセットを含む、と、
第２のフィールド、ここにおいて、前記第２のフィールドは、時間領域シーケンスを含む、と、
第３のフィールド、ここにおいて、前記第３のフィールドは、周波数領域パイロットのシーケンスを含む、と
を含む、と、
前記少なくとも１つのアンテナを介する送信のために前記フレームを出力するように構成されたインターフェースと
を備える、ワイヤレスノード。